(57)【特許請求の範囲】
【請求項１】
基材及びその上に配置された印刷画像を有するライセンスプレート用グラフィックフィルムであって、
前記グラフィックフィルムが、登録番号が内部に配置される登録番号識別領域を有し、
前記登録番号識別領域内の印刷画像のブラックインクの網点面積率が７０％以下である、グラフィックフィルム。
【請求項２】
前記登録番号識別領域内の印刷画像にブラックインクが含まれない、請求項１に記載のグラフィックフィルム。
【請求項３】
前記登録番号識別領域内の印刷画像のブラックインクの網点面積率が５％以上、５０％以下である、請求項１に記載のグラフィックフィルム。
【請求項４】
前記基材が非再帰反射性である、請求項１〜３のいずれか一項に記載のグラフィックフィルム。
【請求項５】
前記基材が再帰反射性である、請求項１〜３のいずれか一項に記載のグラフィックフィルム。
【請求項６】
基材を提供すること、
印刷画像に対応する画像データを提供すること、
前記画像データ中の登録番号識別領域に対応する各画素について、前記登録番号識別領域内のブラックインクの網点面積率が７０％以下となるようにＣＭＹＫ成分を調整して、印刷画像データを生成すること、及び
前記印刷画像データに基づいて前記基材上に前記印刷画像を印刷すること
を含む、請求項１〜５のいずれか一項に記載のグラフィックフィルムの製造方法。
【請求項７】
前記印刷がインクジェット印刷又は熱転写印刷により行なわれる、請求項６に記載の方法。
【請求項８】
ベースプレートと、
前記ベースプレートの上に取り付けられた請求項１〜５のいずれか一項に記載のグラフィックフィルムと、
前記グラフィックフィルムの登録番号識別領域の内部に配置された登録番号と
を備える、印刷画像を有するライセンスプレート。
【請求項９】
エンボス部をさらに有し、前記登録番号が前記エンボス部上に配置されている、請求項８に記載のライセンスプレート。
【発明の詳細な説明】
【技術分野】
【０００１】
本開示は、印刷画像を有するライセンスプレート用グラフィックフィルム及びその製造方法、並びにそのようなグラフィックフィルムを備えた、印刷画像を有するライセンスプレートに関する。
【背景技術】
【０００２】
通行する車両のライセンスプレート（ナンバープレートともいう。本開示において以下同じ。）を無人で読み取るために、路上又はその近辺に設置されるＡＬＰＲ（自動ライセンスプレート読取機、Ａｕｔｏｍａｔｅｄ  Ｌｉｃｅｎｓｅ  Ｐｌａｔｅ  Ｒｅａｄｅｒ）システムが従来広く用いられている。ＡＬＰＲシステムは、典型的にはカメラシステムによって車両を検知及び認識する。ＡＬＰＲシステムの使用例は、道路交通法の施行、犯罪に関係する車両の捜査、及び施設のアクセス制御である。ＡＬＰＲシステムでは、典型的には、ライセンスプレートの読み取りのために赤外線カメラが使用されるので、ライセンスプレートに赤外線が照射される。
【０００３】
米国では、図柄などの印刷画像を有する反射式ライセンスプレートが普及している。一方、日本でも、原動機付自転車用ナンバープレートとして、図柄入り非反射式又は反射式ナンバープレートが使われている。２０１４年２月の新聞発表によれば、国土交通省は２０２０年東京オリンピックの特別ナンバープレートとして図柄入りナンバープレートを２０１５年に自動車などの一般車両についても導入する見通しとなった。また、２０１５年１月の新聞発表によれば、国土交通省は、２０１６年度に地域の名産若しくは観光地などの図柄、又はいわゆる「ご当地キャラ」などをあしらった、自動車用のデザイン付きナンバープレートの発行を認める予定である。
【０００４】
特許文献１（特表２０１２−５１２４２８号公報）には、「光学活性物品であって、光学活性基材に隣接して位置づけられた赤外線反射材料を備え、前記赤外線反射材料は、前記光学活性基材が赤外線源によって照射されたときに赤外線センサーによって読取ることが可能なパターンを形成する、光学活性物品」が記載されている。
【０００５】
特許文献２（特表２０１３−５０８７４９号公報）には、「キューブコーナー素子と、前記キューブコーナー素子に隣接する反射体層と、赤外線不透過材料と、を含む、再帰反射性シート」が記載されている。
【先行技術文献】
【特許文献】
【０００６】
【特許文献１】特表２０１２−５１２４２８号公報
【特許文献２】特表２０１３−５０８７４９号公報
【発明の概要】
【発明が解決しようとする課題】
【０００７】
しかしながら、図柄などの印刷画像を有するライセンスプレートでは、登録番号と重なった印刷画像がＡＬＰＲの読取りに影響して、登録番号を正しく認識できない場合がある。
【０００８】
本開示は、自動ライセンスプレート読取機（ＡＬＰＲ）によるライセンスプレートの登録番号の読取りが印刷画像によって妨げられない、ライセンスプレート用グラフィックフィルム及びその製造方法、並びにそのようなグラフィックフィルムを備えるライセンスプレートを提供する。
【課題を解決するための手段】
【０００９】
本開示の一実施態様によれば、基材及びその上に配置された印刷画像を有するライセンスプレート用グラフィックフィルムであって、前記グラフィックフィルムが、登録番号が内部に配置される登録番号識別領域を有し、前記登録番号識別領域内の印刷画像のブラックインクの網点面積率が７０％以下である、グラフィックフィルムが提供される。
【００１０】
本開示の別の実施態様によれば、基材を提供すること、印刷画像に対応する画像データを提供すること、前記画像データ中の登録番号識別領域に対応する各画素について、前記登録番号識別領域内のブラックインクの網点面積率が７０％以下となるようにＣＭＹＫ成分を調整して、印刷画像データを生成すること、及び前記印刷画像データに基づいて前記基材上に前記印刷画像を印刷することを含む、上記グラフィックフィルムの製造方法が提供される。
【００１１】
本開示のさらに別の実施態様によれば、ベースプレートと、前記ベースプレートの上に取り付けられた上記グラフィックフィルムと、前記グラフィックフィルムの登録番号識別領域の内部に配置された登録番号とを備える、印刷画像を有するライセンスプレートが提供される。
【発明の効果】
【００１２】
本開示によれば、登録番号識別領域内の印刷画像のブラックインクの網点面積率が７０％以下であることにより、ＡＬＰＲによるライセンスプレートの登録番号の読取りを妨げることなく、印刷画像を有する意匠性に優れたライセンスプレートを提供することができる。
【００１３】
なお、上述の記載は、本発明の全ての実施態様及び本発明に関する全ての利点を開示したものとみなしてはならない。
【図面の簡単な説明】
【００１４】
【図１】本開示の一実施態様のライセンスプレート用グラフィックフィルムの概略上面図である。
【図２】図１のグラフィックフィルムの概略断面図である。
【図３】本開示の別の実施態様のライセンスプレート用グラフィックフィルムの概略断面図である。
【図４】本開示の一実施態様のライセンスプレートの概略断面図である。
【図５】株式会社ミマキエンジニアリング製ＪＶ５溶剤インクジェットプリンタ用純正インクの各インクの透過スペクトルを示す。
【図６】株式会社セイコーアイ・インフォテック社製ＣｏｌｏｒＰａｉｎｔｅｒ  Ｈ２−１０４Ｓ溶剤インクジェットプリンタ用純正インクの各インクの透過スペクトルを示す。
【図７】株式会社ミマキエンジニアリング製ＵＪＶ５００−１６０ＵＶインクジェットプリンタ用純正インクの各インクの透過スペクトルを示す。
【図８】３Ｍ（登録商標）スコッチマスター（商標）エッジＩＩシステム（熱転写プリンタ）用純正インクの各インクの透過スペクトルを示す。
【発明を実施するための形態】
【００１５】
以下、本発明の代表的な実施態様を例示する目的で、図面を参照しながらより詳細に説明するが、本発明はこれらの実施態様に限定されない。図面の参照番号について、異なる図面において類似する番号が付された要素は、類似又は対応する要素であることを示す。
【００１６】
本開示における用語の定義は以下のとおりである。
【００１７】
「フィルム」には「シート」と呼ばれる物品も包含される。
【００１８】
「透明」とは、対象とする特定の波長又は波長域の光の平均透過率が、約６０％以上、好ましくは約８０％以上、より好ましくは約９０％以上であることを意味する。
【００１９】
「再帰反射性」とは、ある材料に入射する光源からの光が反射して該光源の方向に反射する現象又は材料の特性を意味し、「非再帰反射性」とは再帰反射性を持たない材料の特性を意味する。
【００２０】
本開示の一実施態様のライセンスプレート用グラフィックフィルムは、基材及びその上に配置された印刷画像を有し、かつ登録番号が内部に配置される登録番号識別領域を有する。
【００２１】
本開示の一実施態様のライセンスプレート用グラフィックフィルムの概略上面図を図１に、概略断面図を図２に示す。グラフィックフィルム１０は基材１２上に配置された３つの印刷画像１４を有する。図１には、点線で囲まれた矩形の登録番号識別領域２４、及び点線で輪郭を縁取られた登録番号２６が点線で示されている。登録番号識別領域２４には、目視で確認できるような枠線、着色などは一般に施されていない。登録番号２６はグラフィックフィルム１０には未だ付与されておらず、一般にライセンスプレートの製造時に付与される。左側の菱型の印刷画像１４はその全体が左側から一番目の登録番号識別領域２４に含まれており、登録番号「１」の一部と重なっている。右側の楕円の印刷画像１４は、その一部が右側から一番目と二番目の登録番号識別領域に含まれており、登録番号「３」及び「４」の一部と重なっているが、その他の部分は登録番号識別領域外にある。上部に位置する正三角形の印刷画像１４は、いずれの登録番号識別領域にも含まれていない。本開示においてブラックインクの網点面積率を議論する対象は、登録番号識別領域内にある印刷画像（例えば図１の菱型の印刷画像１４）、及び印刷画像の部分（例えば図１の楕円の印刷画像１４の一部）である。
【００２２】
登録番号は、ライセンスプレート上に車両識別の目的で表示される文字のセットである。登録番号を構成する文字のセットは、ライセンスプレートの管轄地域により様々である。例えば日本国においては、登録番号は、地名、分類番号、平仮名、及び４桁の数字の組合せである。
【００２３】
登録番号識別領域は、ＡＬＰＲによる登録番号の識別に必要な領域であり、ＡＬＰＲの車両及びライセンスプレート検知システム、赤外線カメラの撮影条件及び分解能、ライセンスプレート認識アルゴリズム、ＯＣＲソフトウェアなどによって、その領域の大きさ及び形状は変化しうる。
【００２４】
一実施態様では、登録番号識別領域は、ライセンスプレートの管轄地域における法規制に従って規定される登録番号の配置領域である。別のいくつかの実施態様では、登録番号識別領域は、登録番号の配置領域の外縁から外側に、例えば約０．１ｍｍ以上、約０．５ｍｍ以上、又は約１ｍｍ以上、約５ｍｍ以下、約３ｍｍ以下、又は約２ｍｍ以下の距離で位置する輪郭線によって囲まれる領域として定義される。例えば日本国においては、道路運送車両法施行規則の第１号様式にライセンスプレートの登録番号の配置領域が規定されており、地名及び平仮名は縦４０ｍｍ×横４０ｍｍの正方形領域に、４桁の数字は縦８０ｍｍ×横４０ｍｍ又は縦１２０ｍｍ×横６０ｍｍの矩形領域に、それぞれ１文字ずつ配置される。上記様式では数字の輪郭の一部が登録番号の配置領域の外縁に接することから、登録番号識別領域は、登録番号の配置領域の外縁から外側に、例えば約０．１ｍｍ以上、又は約０．５ｍｍ以上、約３ｍｍ以下、又は約２ｍｍ以下の距離で位置する輪郭線によって囲まれる領域として定義することができる。登録番号の配置領域が文字に対して十分大きい場合、文字の全体が登録番号識別領域に包含されていることを条件として、登録番号識別領域を、登録番号の配置領域の外縁から内側に、例えば約０．１ｍｍ以上、約０．５ｍｍ以上、又は約１ｍｍ以上、約５ｍｍ以下、約３ｍｍ以下、又は約２ｍｍ以下の距離で位置する輪郭線によって囲まれる領域として定義することもできる。このように登録番号の配置領域を基準として登録番号識別領域を定義することにより、一種類のグラフィックフィルムを、同じライセンスプレートの管轄地域において異なる登録番号を有するライセンスプレートに適用することができる。
【００２５】
別のいくつかの実施態様では、登録番号識別領域を、登録番号の文字の輪郭から外側に、例えば約０．１ｍｍ以上、約０．５ｍｍ以上、又は約１ｍｍ以上、約５ｍｍ以下、約３ｍｍ以下、又は約２ｍｍ以下の距離で位置する輪郭線によって囲まれる領域として定義される。これらの実施態様では、一般にグラフィックフィルム及びライセンスプレートが一連の工程で製造され、ブラックインクを可能な限り広い範囲で使用することで色の再現性に優れたライセンスプレートを提供することができる。
【００２６】
さらに別のいくつかの実施態様では、登録番号識別領域を、ある文字に対しては上記のように登録番号の配置領域とする、又は登録番号の配置領域を基準とした輪郭線によって定義し、一方で別の文字に対しては上記のように文字の輪郭から外側に位置する輪郭線によって囲まれる領域として定義してもよい。
【００２７】
グラフィックフィルムの基材として、例えば、ライセンスプレート用途に適した物性を有する、従来公知の種々のポリマーシートを用いることができる。ポリマーとして、ポリウレタン、アクリル樹脂、ポリエステル、ポリオレフィン、塩化ビニル樹脂、塩化ビニル−酢酸ビニル樹脂、ポリカーボネート、ポリイミド、ポリアミド、ポリエステル−アミドなどを挙げることができる。基材は複数の材料の積層体であってもよい。
【００２８】
いくつかの実施態様において、基材は、塩化ビニル樹脂、塩化ビニル−酢酸ビニル樹脂、アクリル樹脂、又はそれらの組合せを含む。これらのポリマーは画像受容性に優れており、基材上に高品質の印刷画像を形成することができる。
【００２９】
いくつかの実施態様において、基材は、ライセンスプレート製造に際し、クラック又は浮き上がりが生じ難い材質であること、すなわち、エンボス部又はデボス部の変形形状への追従性に十分な可とう性及び延伸性を有することが好ましい。この観点から好ましいポリマーとして、塩化ビニル樹脂、塩化ビニル−酢酸ビニル樹脂、ポリウレタン、アクリル樹脂、ポリオレフィンなどを挙げることができる。
【００３０】
基材は、酸化チタン、酸化亜鉛などの白色顔料を含んでもよく、これらの白色顔料を含むコーティングを有してもよい。白色顔料を含む基材、又は白色顔料を含むコーティングを有する基材を用いることにより、ベースプレートの地色を隠蔽してより鮮明な印刷画像を提供することができる。
【００３１】
いくつかの実施態様において、基材は非再帰反射性である。非再帰反射性基材は、ペイント式ライセンスプレートの読取り用に調整されたＡＬＰＲによる登録番号の良好な識別性という観点から有利である。
【００３２】
非再帰反射性基材として、一又は複数の上記ポリマーを用いて形成されたシート、一又は複数の上記ポリマーとフッ素樹脂を組み合わせて含むシートなどが挙げられる。
【００３３】
いくつかの実施態様において、基材は再帰反射性である。再帰反射性基材は、夜間の少ない光の下又は離れた距離などでのライセンスプレートの視認性が良好である点で有利である。再帰反射性基材としては、従来公知の種々の再帰反射性シートを使用できる。例えば、光透過性のビーズ又はキューブコーナーなどの再帰反射性要素、及び必要に応じて反射層を有するシートなどが例示される。再帰反射性シートとして、例えば、特許第２６４２０９９号公報、特許第２７８８０３０号公報、特許第２９６０４７８号公報、特許第３０３８２１８号公報、特許第３５９４９６９号公報、特表２０００−５０６６２３号公報及び特表２０００−５０８４３４号公報に記載されたようなシートを使用することができる。
【００３４】
基材の再帰反射性について、観測角０．２度、入射角５度における再帰反射係数（ＪＩＳ  Ｚ  ９１１７に準拠する）は少なくとも約１ｃｄ／ｌｘ／ｍ２である。ある好適な実施態様では、再帰性反射シートの再帰反射係数は約４５ｃｄ／ｌｘ／ｍ２以上、又は約５０ｃｄ／ｌｘ／ｍ２以上である。例えば、ＩＳＯ７５９１：１９８２に規定される白については、約４５ｃｄ／ｌｘ／ｍ２以上、黄については約３０ｃｄ／ｌｘ／ｍ２以上であることが望ましい。ＪＩＳ  Ｚ  ９１１７の封入レンズ型タイプ１−Ｂ−ｂである場合、白については約３５ｃｄ／ｌｘ／ｍ２以上、黄については約２５ｃｄ／ｌｘ／ｍ２以上、赤については約１０ｃｄ／ｌｘ／ｍ２以上、黄赤については約１３ｃｄ／ｌｘ／ｍ２以上、緑については約５ｃｄ／ｌｘ／ｍ２以上、青については約３ｃｄ／ｌｘ／ｍ２以上であることが望ましい。
【００３５】
ライセンスプレートが非再帰反射性であるか、再帰反射性であるかによって、通常はＡＬＰＲの読取りの設定又はグラフィックフィルムの設計を変更する必要がある。しかしながら、本開示のグラフィックフィルムは、非再帰反射性基材及び再帰反射性基材のいずれを用いた場合であっても、ＡＬＰＲシステムに対する良好な識別性をライセンスプレートに付与することができる。
【００３６】
基材の厚さは、ライセンスプレートの耐久性の観点から、約１５μｍ以上、約３０μｍ以上、又は約４５μｍ以上であることが好ましく、ライセンスプレートにエンボス部又はデボス部を形成する場合、変形形状への追従性の観点から、約３００μｍ以下、約２５０μｍ以下、又は約２２０μｍ以下であることが好ましい。
【００３７】
基材の破断強度は、良好な耐久性の観点から、好ましくは約５Ｎ／２５ｍｍ以上、約１０Ｎ／２５ｍｍ以上、又は約２０Ｎ／２５ｍｍ以上であり、製造容易性の観点から、好ましくは約２００Ｎ／２５ｍｍ以下、約１７５Ｎ／２５ｍｍ以下、又は約１５０Ｎ／２５ｍｍ以下である。本開示において、破断強度はＪＩＳ  Ｚ  ０２３７に準拠して測定される値である。
【００３８】
基材の伸びは、エンボス加工又はデボス加工時のクラックの発生の防止、及びベースプレートからの浮き上がり防止の観点から、好ましくは、約３０％以上、又は約３５％以上であり、良好な機械強度の観点から、好ましくは約４００％以下、又は約３５０％以下である。本開示において、伸びはＡＳＴＭ試験法Ｄ８８２−８０ａに準拠して測定される値である。
【００３９】
基材として種々の市販品を使用することができる。例えば、基材として印刷画像の形成に適したグラフィックフィルムなどを有利に使用することができる。市販のグラフィックフィルムの例として、３Ｍ（登録商標）コントロールタック（登録商標）グラフィックフィルムＩＪ１８０−１０（３Ｍ社）、３Ｍ（登録商標）スコッチカル（登録商標）グラフィックフィルムＩＪ５３３１及びＲＧ５３３３Ｒ（３Ｍ社）などが挙げられる。
【００４０】
市販の再帰反射性フィルムの例として、例えば３Ｍ（登録商標）反射シートＢＲ１９０５００、３Ｍ（登録商標）Ｐｒｅｃｌｅａｒ  Ｒｅｆｌｅｃｔｉｖｅ  Ｌｉｃｅｎｓｅ  Ｐｌａｔｅ  Ｓｈｅｅｔｉｎｇ  ４７５０及び４７７０、３Ｍ（登録商標）Ｈｉｇｈ  Ｄｅｆｉｎｉｔｉｏｎ  Ｌｉｃｅｎｓｅ  Ｐｌａｔｅ  Ｓｈｅｅｔｉｎｇ  Ｓｅｒｉｅｓ  ６７００（３Ｍ社）などが挙げられる。
【００４１】
グラフィックフィルムの印刷画像は、ライセンスプレートに装飾性、意匠性、識別性などを付与する。例えば、印刷画像は、ライセンスプレートの登録番号以外の背景部分に図柄、パターンなどを付与することができる。印刷画像は、基材の上にインク、トナーなどの着色剤を、グラビア印刷、スクリーン印刷、オフセット印刷、静電印刷、インクジェット印刷、熱転写印刷などの印刷技術を用いて印刷することにより形成することができる。様々な画像に対応する印刷画像データに基づいて小さいロット単位でも印刷画像を基材上に簡便に印刷でき、屋外耐候性を有するフルカラー印刷画像が得られることから、インクジェット印刷又は熱転写印刷を用いることが有利である。インクジェット印刷に使用されるプリンタとして、溶剤インクジェットプリンタ、ＵＶインクジェットプリンタなどが挙げられる。熱転写印刷に使用されるプリンタとして、熱溶融型熱転写プリンタ、昇華型熱転写プリンタなどが挙げられる。
【００４２】
インクジェット印刷、熱転写印刷などの印刷インクは、一般にシアン（Ｃ）インク、マゼンタ（Ｍ）インク、イエロー（Ｙ）インク、及びブラック（Ｋ）インクの４色インクセットとして提供されてフルカラー印刷を可能にする。ハイライトの再現性を高めるために、これらの４色に、ライトシアンインク及びライトマゼンタインクを加えた６色インクセット、又はさらにグレーインク若しくはダークイエローインクを加えた７色インクセットが用いられる場合もある。これらのインクは従来公知であり、一般にそれぞれ対応する色の顔料又は染料と、バインダー又はビヒクルとを含み、必要に応じてさらに水、有機溶剤、分散剤、硬化剤などを含む。
【００４３】
インクジェット印刷インクとして、例えば、株式会社ミマキエンジニアリング製ＪＶ５溶剤インクジェットプリンタ用純正インク、株式会社セイコーアイ・インフォテック社製ＣｏｌｏｒＰａｉｎｔｅｒ  Ｈ２−１０４Ｓ溶剤インクジェットプリンタ用純正インク、株式会社ミマキエンジニアリング製ＵＪＶ５００−１６０ＵＶインクジェットプリンタ用純正インクなどを使用することができる。熱転写印刷インクとして、例えば、３Ｍ（登録商標）スコッチマスター（商標）エッジＩＩシステム（熱転写プリンタ）用インクセットなどを使用することができる。
【００４４】
シアンインク、マゼンタインク及びイエローインクなどの有彩色インクは、一般に赤外領域に顕著な吸収を有していない。そのため、これらの有彩色インクを用いて印刷した画素は、ＡＬＰＲによる登録番号の読取り時には陰影を生じさせない。一方、ブラックインクの顔料として一般的に使用される、ファーネスブラック、チャンネルブラック、サーマルブラック、アセチレンブラックなどのカーボンブラックは赤外領域に吸収を有することから、ブラックインクを用いて印刷した画素は、ＡＬＰＲによる登録番号の読取り時に陰影となり、そのような印刷画素の位置及び密度によっては登録番号の識別を妨げる場合がある。
【００４５】
本開示のグラフィックフィルムにおいて、登録番号識別領域内にある印刷画像のブラックインクの網点面積率は約７０％以下である。登録番号識別領域内にある印刷画像のブラックインクの網点面積率を約７０％以下とすることにより、登録番号と印刷画像が重なってもＡＬＰＲにより登録番号を正確に認識することができる。ブラックインクの網点面積率は、ライセンスプレート上の一定面積の任意の領域、例えば任意の１０ｍｍ角又は面積１０ｍｍ２の円形の領域に含まれるブラックインクの網点（ドット）の面積割合として定義することができる。グラフィックフィルム上に印刷された印刷画像におけるブラックインクの網点面積率は、一定面積のある領域（例えば１０ｍｍ角）又はその一部分（例えば２ｍｍ角）を光学顕微鏡で拡大（例えば１００倍）した画像について、Ａｄｏｂｅ  Ｐｈｏｔｏｓｈｏｐ等の画像処理ソフトを使って、画像全体のピクセル数に対するブラックインクのピクセル数の比率を計算し、別の領域又は部分に対して上記操作を繰り返すことにより決定することができる。
【００４６】
一実施態様では、登録番号識別領域内にある印刷画像のブラックインクの網点面積率は０％、すなわち、登録番号識別領域内にある印刷画像にブラックインクが含まれない。この実施態様では、ＡＬＰＲによる識別性に特に優れたライセンスプレート、例えば遠距離に位置する車両又は高速度で移動する車両であっても登録番号の正確な認識を可能にするライセンスプレートを提供することができる。
【００４７】
いくつかの実施態様では、登録番号識別領域内にある印刷画像のブラックインクの網点面積率は約５０％以下、約３０％以下、約２０％以下、又は約１０％以下である。ブラックインクの網点面積率が小さいほど、赤外線カメラによる登録番号の認識率を高めることができる。一方、別のいくつかの実施態様では、登録番号識別領域内にある印刷画像のブラックインクの網点面積率は約１％以上、約５％以上、約１０％以上、約１５％以上、又は約２０％以上である。ブラックインクの網点面積率が大きいほど、色の再現性を向上させることができる。したがって、登録番号識別領域内にある印刷画像が、上記範囲内の網点面積率でブラックインクを含む実施態様では、ＡＬＰＲによる識別性を維持しながら、色の再現性に優れたライセンスプレートを提供することができる。
【００４８】
登録番号識別領域外にある印刷画像のブラックインクの網点面積率は、約７０％超、約８０％以上、約９０％以上、又は１００％であってもよい。別のいくつかの実施態様において、登録番号識別領域外にある印刷画像のブラックインクの網点面積率は、登録番号識別領域内と同様に、約７０％以下、約５０％以下、約３０％以下、約２０％以下、又は約１０％以下である。さらに別のいくつかの実施態様では、登録番号識別領域外にある印刷画像のブラックインクの網点面積率は、登録番号識別領域内と同様に、約１％以上、約５％以上、約１０％以上、約１５％以上、又は約２０％以上である。
【００４９】
登録番号識別領域内のブラックインクの網点面積率が約７０％以下である、又は上記範囲内にある印刷画像は、例えば、印刷画像に対応する画像データを用意し、画像データ中の登録番号識別領域に対応する各画素について、登録番号識別領域内のブラックインクの網点面積率が約７０％以下、又は上記範囲内となるように、シアン・マゼンタ・イエロー・ブラックの各成分、すなわちＣＭＹＫ成分を調整して、印刷画像データを生成すること、及び生成した印刷画像データに基づいて基材上に印刷画像を印刷することによって形成することができる。画像データ中のブラック成分を減少させることに伴って、通常はシアン、マゼンタ及びイエローの３成分の少なくとも１つを増加させてこれらの３成分の混色によりブラック成分を代替する操作が必要となる。この場合、登録番号識別領域内の一部の画素についてブラック成分が増加してもよい。このようなブラックインクの網点面積率の調整を含むＣＭＹＫ成分の調整及びそれによる印刷画像データの生成は、例えばＡｄｏｂｅ  Ｉｌｌｕｓｔｒａｔｏｒなどの画像処理ソフトウェアを用いて行うことができる。別の実施態様では、上記ＣＭＹＫ成分の調整を画像データ中の全ての画素に対して行ってもよい。
【００５０】
一実施態様では、画像データ中の登録番号識別領域に対応する全ての画素のブラック成分が０％となるように、ＣＭＹＫ成分が調整される。別のいくつかの実施態様では、画像データ中の登録番号識別領域に対応する全ての画素のブラック成分が約７０％以下、約５０％以下、約３０％以下、約２０％以下、又は約１０％以下となるように、ＣＭＹＫ成分が調整される。さらに別のいくつかの実施態様では、画像データ中の登録番号識別領域に対応する全ての画素のブラック成分が約１％以上、約５％以上、約１０％以上、約１５％以上、又は約２０％以上となるように、ＣＭＹＫ成分が調整される。このように全ての画素のブラック成分が所定範囲内となるようにＣＭＹＫ成分を調整することによっても、登録番号識別領域内のブラックインクの網点面積率を所定の範囲内にすることができる。上記ＣＭＹＫ成分の調整を画像データ中の全ての画素に対して行ってもよい。
【００５１】
印刷画像の厚さは様々であってよく、一般に、溶剤系インクを用いた場合は、約１μｍ以上、又は約２μｍ以上、約８μｍ以下、又は約５μｍ以下である。ＵＶ系インクを用いた場合は、約１μｍ以上、又は約５μｍ以上、約５０μｍ以下、又は約３０μｍ以下とすることができる。
【００５２】
グラフィックフィルムは、印刷画像及び基材を被覆する表面保護層をさらに有してもよい。表面保護層として様々な樹脂フィルムを使用することができる。例えば、表面保護層に好適に使用される樹脂として、塩化ビニル樹脂、塩化ビニル−酢酸ビニル樹脂、ポリウレタン、アクリル樹脂、ポリオレフィン、これらの組合せなどを挙げることができる。表面保護層は、印刷画像の視認性及びＡＬＰＲの識別性に影響を与えないように可視光及び赤外光に対して透明であることが好ましい。
【００５３】
表面保護層の厚さは様々であってよく、一般に、約４０μｍ以上、約５０μｍ以上、又は約６０μｍ以上、約２００μｍ以下、約１５０μｍ以下、又は約１００μｍ以下とすることができる。
【００５４】
印刷画像及び基材と表面保護層との間に必要に応じて接合層を配置してもよい。接合層は、従来知られている接着剤から形成することができ、被接合物の材質に応じて適宜選択される。接着剤として、例えばアクリル樹脂、エポキシ樹脂、ポリエステルなどをベースとする接着剤を使用することができる。接合層は、印刷画像の視認性及びＡＬＰＲの識別性に影響を与えないように可視光及び赤外光に対して透明であることが好ましい。
【００５５】
接合層の厚さは様々であってよく、一般に、約１０μｍ以上、又は約２０μｍ以上、約２００μｍ以下、又は約１００μｍ以下とすることができる。
【００５６】
図３に本開示の別の実施態様のライセンスプレート用グラフィックフィルムとして概略断面図で示されるグラフィックフィルム１０は、印刷画像１４及び基材１２を被覆する表面保護層１６と、印刷画像１４及び基材１２と表面保護層１６との間に配置された接合層１８とを含む。
【００５７】
グラフィックフィルムは、ライセンスプレートのベースプレートに接着するための接着層を有してもよい。接着層に好適に使用することができる接着剤として、架橋され可塑化されたアクリル系感圧接着剤又はホットメルトの感圧接着剤が挙げられる。天然ゴム、合成ゴム、シリコーン又は他のポリマーをベースとし、必要に応じて粘着付与剤、酸化防止剤、紫外線吸収剤、可塑剤などの添加剤を含む、他の感圧接着剤を使用することもできる。本開示において「感圧接着剤」とは、軽い圧力で様々な表面に接着し、相変化（液体から固体へ）を呈さない接着剤を指す。接着剤は架橋剤によって熱架橋又は放射線（例えば電子線ビーム又は紫外線）で架橋されたものでもよい。
【００５８】
接着層の厚さは様々であってよく、一般に、約３０μｍ以上、約４０μｍ以上、又は約５０μｍ以上、約１５０μｍ以下、約９０μｍ以下、又は約６０μｍ以下とすることができる。
【００５９】
グラフィックフィルムは、接着層を保護するライナーをさらに有してもよい。ライナーとして、例えば、紙；ポリエチレン、ポリプロピレン、ポリエステル、酢酸セルロースなどのプラスチック材料；このようなプラスチック材料で被覆された紙などを挙げることができる。これらのライナーは、シリコーンなどにより剥離処理した表面を有してもよい。ライナーの厚さは、一般に、約５μｍ以上、約１５μｍ以上又は約２５μｍ以上、約３００μｍ以下、約２００μｍ以下又は約１５０μｍ以下である。
【００６０】
本開示の一実施態様の印刷画像を有するライセンスプレートは、ベースプレートと、ベースプレートの上に取り付けられた上記グラフィックフィルムと、グラフィックフィルムの登録番号識別領域の内部に配置された登録番号とを備える。
【００６１】
ライセンスプレートのベースプレートとして、一般に金属板又は樹脂板を使用することができる。金属板として、アルミニウム板、ステンレス板、鉄板などが挙げられる。樹脂板として、ポリカーボネート板、ポリエステル板、塩化ビニル板などが挙げられる。必要に応じて、これらの板材をフレームなどの形状に成形加工してもよい。
【００６２】
ベースプレートへのグラフィックフィルムの取り付けは、グラフィックフィルムが有する接着層を介して、又は接着剤をグラフィックフィルムとベースプレートの間に塗布して、ベースプレートとグラフィックフィルムを接着することにより行うことができる。
【００６３】
ベースプレートにグラフィックフィルムを取り付けて形成した積層体を、例えばブランクプレスダイなどを用いて所望の大きさにブランクプレスして切り出してもよい。
【００６４】
登録番号は、インクジェット印刷、ロールコーティングなどを用いて、グラフィックフィルムの登録番号識別領域の内部に、例えば顔料及びバインダー樹脂を含むインク組成物を適用して着色層を形成することにより、ライセンスプレートに配置することができる。登録番号の輪郭に合わせて形成されたエンボス部又はデボス部にインク組成物を適用して着色層を形成してもよい。エンボス部又はデボス部の形成は、一般にベースプレートにグラフィックフィルムを取り付けて積層体を形成した後、積層体を雄雌ダイに挟んでプレス機で加圧することによって行うことができる。このときに、ライセンスプレートの辺縁部にフレーム部を形成してもよい。フレーム部はライセンスプレートの変形を防止するための強度をライセンスプレートに付与することができる。エンボス部、デボス部又はフレーム部の深さは、一般にそれぞれ約１ｍｍ以上、約２ｍｍ以下であるが、この範囲に限定されない。一実施態様では、登録番号がライセンスプレートのエンボス部上に配置されている。
【００６５】
登録番号を表示する着色層の厚さは様々であってよく、一般に、約５μｍ以上、約６μｍ以上、又は約８μｍ以上、約３０μｍ以下、約２５μｍ以下、又は約２０μｍ以下とすることができる。
【００６６】
ライセンスプレートは登録番号を表示する着色層を保護するクリアコートをさらに有してもよい。クリアコートは従来公知の種々のクリアコート剤をライセンスプレートに塗布又は噴霧し、必要に応じて乾燥又は硬化することにより形成することができる。
【００６７】
図４に本開示の一実施態様のライセンスプレートとして概略断面図で示されるライセンスプレート２０は、接着層１９を介してベースプレート２２に取り付けられたグラフィックフィルム１０を含み、エンボス部上に登録番号２６が配置され、その上にクリアコート２８が付与されている。
【００６８】
本開示のライセンスプレート用グラフィックフィルムを含むライセンスプレートは、ＡＬＰＲに適合した印刷画像を有するライセンスプレートとして使用することができる。
【実施例】
【００６９】
以下の実施例において、本開示の具体的な実施態様を例示するが、本発明はこれに限定されるものではない。部及びパーセントは全て、特に明記しない限り質量による。
【００７０】
＜例１＞
Ａｄｏｂｅ  Ｉｌｌｕｓｔｒａｔｏｒ上で、登録番号「品川  ５００  ほ  ４２−４９」をブラック（Ｋ）の網点面積率を１００％として描き、平仮名「ほ」と重なるように幅４５ｍｍ×高さ５０ｍｍの矩形を「ほ」の下に配置した。描いた矩形をシアン（Ｃ）の網点面積率１００％、マゼンタ（Ｍ）の網点面積率１００％、イエロー（Ｙ）の網点面積率１００％、及びブラック（Ｋ）の網点面積率０％の設定で塗り、ｅｐｓ形式の印刷画像データを生成した。印刷画像データを、株式会社ミマキエンジニアリング製ＪＶ５溶剤インクジェットプリンタ及び純正インクを使って、３Ｍ（登録商標）コントロールタック（登録商標）グラフィックフィルムＩＪ１８０−１０に印刷画像データの指定色どおりに印刷した。印刷したグラフィックフィルムを幅３３０ｍｍ×高さ１６５ｍｍのアルミニウム板に貼り、余分なグラフィックフィルム部分をカットして例１のライセンスプレートを作製した。
【００７１】
＜例２＞
例１の矩形をブラック（Ｋ）の網点面積率５０％の設定で塗った以外は例１と同じ方法で、例２のライセンスプレートを作製した。
【００７２】
＜例３＞
例１の矩形をブラック（Ｋ）の網点面積率７０％の設定で塗った以外は例１と同じ方法で、例３のライセンスプレートを作製した。
【００７３】
＜比較例１＞
例１の矩形をブラック（Ｋ）の網点面積率８０％の設定で塗った以外は例１と同じ方法で、比較例１のライセンスプレートを作製した。
【００７４】
＜比較例２＞
例１の矩形をブラック（Ｋ）の網点面積率９０％の設定で塗った以外は例１と同じ方法で、比較例２のライセンスプレートを作製した。
【００７５】
例１〜３並びに比較例１及び２について、ＡＬＰＲ（株式会社エイテック製可搬式ナンバープレート自動観測装置ＯＣ−ｉ  ＳＹＳＴＥＭ）を用いて登録番号の読取り試験を行った。登録番号の読取り動作は最大２０回行い、その間に１回でも正しく読取りできれば、読取り可とした。読取り試験の結果を表１に示す。
【００７６】
【表１】
0006510306.tif 000002
【００７７】
例１と同様の方法で、３Ｍ（登録商標）スコッチカル（登録商標）グラフィックフィルムＲＧ５３３３Ｒに、シアン（Ｃ）の網点面積率１００％、マゼンタ（Ｍ）の網点面積率１００％、イエロー（Ｙ）の網点面積率１００％、又はブラック（Ｋ）の網点面積率１００％の領域をそれぞれ印刷し、株式会社島津製作所製ＳｏｌｉｄＳｐｅｃ−３７００分光光度計を用いて、各インクの透過スペクトルを測定した。結果を図５に示す。
【００７８】
＜例４＞
例１の３Ｍ（登録商標）コントロールタック（登録商標）グラフィックフィルムＩＪ１８０−１０の代わりに３Ｍ（登録商標）Ｈｉｇｈ  Ｄｅｆｉｎｉｔｉｏｎ  Ｌｉｃｅｎｓｅ  Ｐｌａｔｅ  Ｓｈｅｅｔｉｎｇ  Ｓｅｒｉｅｓ  ６７００（再帰反射シート）を使った以外は例１と同じ方法で、例４のライセンスプレートを作製した。
【００７９】
＜例５＞
例４の矩形をブラック（Ｋ）の網点面積率５０％の設定で塗った以外は例４と同じ方法で、例５のライセンスプレートを作製した。
【００８０】
＜例６＞
例４の矩形をブラック（Ｋ）の網点面積率７０％の設定で塗った以外は例４と同じ方法で、例６のライセンスプレートを作製した。
【００８１】
＜比較例３＞
例４の矩形をブラック（Ｋ）の網点面積率８０％の設定で塗った以外は例４と同じ方法で、比較例３のライセンスプレートを作製した。
【００８２】
例４〜６及び比較例３について、例１と同様に、ＡＬＰＲによる登録番号の読取り試験を行った。読取り試験の結果を表２に示す。
【００８３】
【表２】
0006510306.tif 000003
【００８４】
＜例７＞
Ａｄｏｂｅ  Ｉｌｌｕｓｔｒａｔｏｒ上で、登録番号「品川  ５００  ほ  ４２−４９」をブラック（Ｋ）の網点面積率を１００％として描き、平仮名「ほ」と重なるように幅４５ｍｍ×高さ５０ｍｍの矩形を「ほ」の下に配置した。描いた矩形をシアン（Ｃ）の網点面積率１００％、マゼンタ（Ｍ）の網点面積率１００％、イエロー（Ｙ）の網点面積率１００％、及びブラック（Ｋ）の網点面積率０％の設定で塗り、ｅｐｓ形式の印刷画像データを生成した。印刷画像データを、株式会社セイコーアイ・インフォテック社製ＣｏｌｏｒＰａｉｎｔｅｒ  Ｈ２−１０４Ｓ溶剤インクジェットプリンタ及び純正インクを使って、３Ｍ（登録商標）コントロールタック（登録商標）グラフィックフィルムＩＪ１８０−１０に印刷画像データの指定色どおりに印刷した。印刷したグラフィックフィルムを幅３３０ｍｍ×高さ１６５ｍｍのアルミニウム板に貼り、余分なグラフィックフィルム部分をカットして例７のライセンスプレートを作製した。例７について、例１と同様に、ＡＬＰＲによる登録番号の読取り試験を行ったところ、読取りが可能であった。
【００８５】
例７と同様の方法で、３Ｍ（登録商標）スコッチカル（登録商標）グラフィックフィルムＲＧ５３３３Ｒに、シアン（Ｃ）の網点面積率１００％、マゼンタ（Ｍ）の網点面積率１００％、イエロー（Ｙ）の網点面積率１００％、又はブラック（Ｋ）の網点面積率１００％の領域をそれぞれ印刷し、株式会社島津製作所製ＳｏｌｉｄＳｐｅｃ−３７００分光光度計を用いて、各インクの透過スペクトルを測定した。結果を図６に示す。
【００８６】
＜例８＞
Ａｄｏｂｅ  Ｉｌｌｕｓｔｒａｔｏｒ上で、登録番号「品川  ５００  ほ  ４２−４９」をブラック（Ｋ）の網点面積率を１００％として描き、平仮名「ほ」と重なるように幅３５ｍｍ×高さ３５ｍｍの正方形を「ほ」の下に配置した。描いた正方形をシアン（Ｃ）の網点面積率１００％、マゼンタ（Ｍ）の網点面積率１００％、イエロー（Ｙ）の網点面積率１００％、及びブラック（Ｋ）の網点面積率０％の設定で塗り、ｅｐｓ形式の印刷画像データを生成した。印刷画像データを、株式会社ミマキエンジニアリング製ＵＪＶ５００−１６０ＵＶインクジェットプリンタ及び純正インクを使って、３Ｍ（登録商標）コントロールタック（登録商標）グラフィックフィルムＩＪ１８０−１０に印刷画像データの指定色どおりに印刷した。印刷したグラフィックフィルムを幅３３０ｍｍ×高さ１６５ｍｍのアルミニウム板に貼り、余分なグラフィックフィルム部分をカットして例８のライセンスプレートを作製した。例８について、例１と同様に、ＡＬＰＲによる登録番号の読取り試験を行ったところ、読取りが可能であった。
【００８７】
例８と同様の方法で、３Ｍ（登録商標）スコッチカル（登録商標）グラフィックフィルムＲＧ５３３３Ｒに、シアン（Ｃ）の網点面積率１００％、マゼンタ（Ｍ）の網点面積率１００％、イエロー（Ｙ）の網点面積率１００％、又はブラック（Ｋ）の網点面積率１００％の領域をそれぞれ印刷し、株式会社島津製作所製ＳｏｌｉｄＳｐｅｃ−３７００分光光度計を用いて、各インクの透過スペクトルを測定した。結果を図７に示す。
【００８８】
＜例９＞
３Ｍ（登録商標）スコッチマスター（商標）エッジＩＩシステム（熱転写プリンタ）を用いて、シアン（Ｃ）の網点面積率１００％、マゼンタ（Ｍ）の網点面積率１００％、イエロー（Ｙ）の網点面積率１００％、及びブラック（Ｋ）の網点面積率０％の設定で、幅４５ｍｍ×高さ５０ｍｍの矩形を、３Ｍ（登録商標）スコッチマスター（商標）エッジ用マテリアル２２５−１０に印刷し、さらにその上に続けて同プリンタでブラック（Ｋ）の網点面積率１００％の登録番号「品川  ５００  ほ  ２０−２０」を「ほ」と矩形が重なるように印刷した。印刷したグラフィックフィルムを幅３３０ｍｍ×高さ１６５ｍｍのアルミニウム板に貼り、余分なグラフィックフィルム部分をカットして例９のライセンスプレートを作製した。例９について、例１と同様に、ＡＬＰＲによる登録番号の読取り試験を行ったところ、読取りが可能であった。
【００８９】
例９と同様の方法で、Ｇｅｒｂｅｒ  Ｈｉｇｈ  Ｐｅｒｆｏｒｍａｎｃｅ  Ｓｅｒｉｅｓ  ２２０  Ｃｌｅａｒ  ２２０−１１４  Ｃｌｅａｒ  Ｅｎａｍｅｌ  Ｒｅｃｅｐｔｉｖｅ（Ｇｅｒｂｅｒ  Ｓｃｉｅｎｔｉｆｉｃ社から入手可能）に、シアン（Ｃ）の網点面積率１００％、マゼンタ（Ｍ）の網点面積率１００％、イエロー（Ｙ）の網点面積率１００％、又はブラック（Ｋ）の網点面積率１００％の領域をそれぞれ印刷し、株式会社島津製作所製ＳｏｌｉｄＳｐｅｃ−３７００分光光度計を用いて、各インクの透過スペクトルを測定した。結果を図８に示す。
【００９０】
＜比較例４＞
市販の画像データとして、素材集  素材辞典Ｖｏｌ．１０３  フランス  イタリア  スペインＥＦ０４４．ＪＰＧをＡｄｏｂｅ  ＰｈｏｔｏｓｈｏｐでＲＧＢカラーからＣＭＹＫカラーに変換してｊｐｇ形式で背景画像の印刷画像データを用意した。Ａｄｏｂｅ  Ｐｈｏｔｏｓｈｏｐの情報パネルにより、登録番号と重なる部分の背景画像のブラック（Ｋ）の網点面積率が８０％以上であることを確認した。Ａｄｏｂｅ  Ｉｌｌｕｓｔｒａｔｏｒ上で背景画像を配置したｅｐｓ形式の印刷画像データを、株式会社ミマキエンジニアリング製ＪＶ５溶剤インクジェットプリンタ及び純正インクを使って、３Ｍ（登録商標）コントロールタック（登録商標）グラフィックフィルムＩＪ１８０−１０に印刷画像データの指定色どおりに印刷した。印刷したグラフィックフィルムを、幅３３０ｍｍ×高さ１６５ｍｍのアルミニウム板に貼り付けた。Ａｄｏｂｅ  Ｉｌｌｕｓｔｒａｔｏｒ上で、登録番号「品川  ５００  ほ  ４２−４９」をブラック（Ｋ）の網点面積率を１００％として描いたｅｐｓ形式の印刷画像データを、株式会社ミマキエンジニアリング製ＪＶ５溶剤インクジェットプリンタ及び純正インクを使って、３Ｍ（登録商標）スコッチカル（登録商標）グラフィックフィルムＲＧ５３３３Ｒに印刷画像データの指定色どおりに印刷した。印刷したグラフィックフィルムを先の積層アルミニウム板の上に貼って、余分なグラフィックフィルム部分をカットして比較例４のライセンスプレートを作製した。比較例４について、例１と同様に、ＡＬＰＲによる登録番号の読取り試験を行ったところ、読取りができなかった。
【００９１】
＜例１０＞
市販の画像データとして、素材集  素材辞典Ｖｏｌ．１０３  フランス  イタリア  スペインＥＦ０４４．ＪＰＧをＡｄｏｂｅ  ＰｈｏｔｏｓｈｏｐでＲＧＢカラーからＣＭＹＫカラーに墨版生成なしで変換してｊｐｇ形式で背景画像の印刷画像データを用意した。Ａｄｏｂｅ  Ｐｈｏｔｏｓｈｏｐの情報パネルにより、登録番号と重なる部分の背景画像のブラック（Ｋ）の網点面積率が０％であることを確認した。Ａｄｏｂｅ  Ｉｌｌｕｓｔｒａｔｏｒ上で背景画像を配置したｅｐｓ形式の印刷画像データを、株式会社ミマキエンジニアリング製ＪＶ５溶剤インクジェットプリンタ及び純正インクを使って、３Ｍ（登録商標）コントロールタック（登録商標）グラフィックフィルムＩＪ１８０−１０に印刷画像データの指定色どおりに印刷した。印刷したグラフィックフィルムを、幅３３０ｍｍ×高さ１６５ｍｍのアルミニウム板に貼り付けた。Ａｄｏｂｅ  Ｉｌｌｕｓｔｒａｔｏｒ上で、ブラック（Ｋ）の網点面積率１００％の登録番号「品川  ５００  ほ  ４２−４９」とブラック（Ｋ）の網点面積率１００％の幅４０ｍｍ×高さ４０ｍｍの正方形を「５００」の右の空きスペースに配置したｅｐｓ形式の印刷画像データを、株式会社ミマキエンジニアリング製ＪＶ５溶剤インクジェットプリンタ及び純正インクを使って、３Ｍ（登録商標）スコッチカル（登録商標）グラフィックフィルムＲＧ５３３３Ｒに印刷画像データの指定色どおりに印刷した。印刷したグラフィックフィルムを先の積層アルミニウム板の上に貼って、余分なグラフィックフィルム部分をカットして例１０のライセンスプレートを作製した。例１０について、例１と同様に、ＡＬＰＲによる登録番号の読取り試験を行ったところ、背景画像はほとんど映らずに読取りが可能であった。
【００９２】
＜比較例５＞
比較例４の３Ｍ（登録商標）コントロールタック（登録商標）グラフィックフィルムＩＪ１８０−１０の代わりに３Ｍ（登録商標）Ｈｉｇｈ  Ｄｅｆｉｎｉｔｉｏｎ  Ｌｉｃｅｎｓｅ  Ｐｌａｔｅ  Ｓｈｅｅｔｉｎｇ  Ｓｅｒｉｅｓ  ６７００（再帰反射シート）を使った以外は比較例４と同じ方法で、比較例５のライセンスプレートを作製した。比較例５について、例１と同様に、ＡＬＰＲによる登録番号の読取り試験を行ったところ、読取りができなかった。
【００９３】
＜例１１＞
例１０の３Ｍ（登録商標）コントロールタック（登録商標）グラフィックフィルムＩＪ１８０−１０の代わりに３Ｍ（登録商標）Ｈｉｇｈ  Ｄｅｆｉｎｉｔｉｏｎ  Ｌｉｃｅｎｓｅ  Ｐｌａｔｅ  Ｓｈｅｅｔｉｎｇ  Ｓｅｒｉｅｓ  ６７００（再帰反射シート）を使った以外は例１０と同じ方法で、例１１のライセンスプレートを作製した。例１１について、例１と同様に、ＡＬＰＲによる登録番号の読取り試験を行ったところ、背景画像はほとんど映らずに読取りが可能であった。
【００９４】
本発明の基本的な原理から逸脱することなく、上記の実施態様及び実施例が様々に変更可能であることは当業者に明らかである。また、本発明の様々な改良及び変更が本発明の趣旨及び範囲から逸脱せずに実施できることは当業者には明らかである。
【符号の説明】
【００９５】
１０    グラフィックフィルム
１２    基材
１４    印刷画像
１６    表面保護層
１８    接合層
１９    接着層
２０    ライセンスプレート
２２    ベースプレート
２４    登録番号識別領域
２６    登録番号
２８    クリアコート
【図１】
0006510306.tif 000004
【図２】
0006510306.tif 000005
【図３】
0006510306.tif 000006
【図４】
0006510306.tif 000007
【図５】
0006510306.tif 000008
【図６】
0006510306.tif 000009
【図７】
0006510306.tif 000010
【図８】
0006510306.tif 000011